【手続補正書】
【提出日】平成18年7月4日(2006.7.4)
【手続補正１】
【補正対象書類名】特許請求の範囲
【補正対象項目名】全文
【補正方法】変更
【補正の内容】
【特許請求の範囲】
【請求項１】
デジタルコンテンツをユーザへ配信するステップであって、デジタルコンテンツは、そのユーザによる検査あるいは改ざんに対してロックされている、ステップと、
そのデジタルコンテンツをアンロック可能な、コンテンツキーを含むライセンスを、そのユーザへ別々に配信するステップであって、コンテンツキーは、ユーザが所有する、選択された提示装置以外の装置による、検査あるいは改ざんに対してロックされている、ステップと
を含み、
選択された提示装置は、提示装置キーと関連付けられており、選択された提示装置の機密保護部分は、この提示装置キーを用いてライセンスをアンロック可能であり、その結果、ユーザは、選択された提示装置において、デジタルコンテンツの提示、又は、そのデジタルコンテンツによって表された情報によって制限される、方法。
【請求項２】
物理メディアからデジタルコンテンツの少なくとも一部分を読み出すステップと、
コンテンツキーを用いて物理メディアから読み出されたその部分を暗号化するステップと
をさらに含み、その結果、ユーザは、物理メディアから読み出されたデジタルコンテンツの提示のためのライセンスを有するよう制限される、請求項１に記載の方法。
【請求項３】
ロックされたデジタルコンテンツの少なくとも一部分が、（ａ）通信リンク、あるいは、（ｂ）デジタルコンテンツを読み出し可能な物理メディア、の少なくとも１つを用いてユーザへ配信される、請求項１又は２に記載の方法。
【請求項４】
ロックされたデジタルコンテンツの少なくとも一部分が、１つより多いこうした提示装置への可能な配信のために、ユーザにより保存される、請求項１から３のいずれか一項に記載の方法。
【請求項５】
ライセンスの少なくとも一部分が、（ａ）通信リンク、あるいは、（ｂ）デジタルコンテンツを読み出し可能な物理メディア、の少なくとも１つを用いてユーザへ配信される、請求項１から４のいずれか一項に記載の方法。
【請求項６】
デジタルコンテンツが暗号化の形式を用いてロックされ、コンテンツキーが、そのデジタルコンテンツの復号化に関連付けられている、請求項１から５のいずれか一項に記載の方法。
【請求項７】
前記デジタルコンテンツは、アニメーションあるいは音、静止メディア、写真あるいはイラスト、データベース、情報の他のコレクション、の少なくとも１つを含んでいるメディアストリームの少なくとも一部を表す、請求項１から６のいずれか一項に記載の方法。
【請求項８】
デジタルコンテンツが、その提示、又は、それが表す情報の提示以外に、ユーザによる検査が可能な少なくとも何らかの情報を含んでいる、請求項１から７のいずれか一項に記載の方法。
【請求項９】
検査が可能なその情報は、
前記メディアストリームについてのメタデータと、
（ａ）タイトル、（ｂ）フィルムクリップ、（ｃ）概要、（ｄ）メディアストリームの作者、俳優、ジャンル、あるいはレーティングに関連付けられている１組の情報、の少なくとも１つを含む、メディアストリームについての情報と
のうち、少なくとも一つを有している、請求項８に記載の方法。
【請求項１０】
ライセンスが、そのメディアストリームの提示に制限を課す、請求項１から９のいずれか一項に記載の方法。
【請求項１１】
制限は、
ライセンスが無効になるか否か、
メディアストリームに対して提示が許可される最初の日付あるいは時間、
メディアストリームに対して提示が許可される最後の日付あるいは時間、
メディアストリームに対して許可される提示の制限された数、
メディアストリームに対して提示が許可される制限された物理領域、
メディアストリームに対して提示が許可されることに関連付けられた、料金、コスト、報酬、あるいは予約、
提示装置のタイプ、
提示装置により使用される出力フォーマット、
提示装置により使用されるビットレート、サンプリングレート、あるいは、粒状度もしくは正確さの他の尺度、
の少なくとも１つを含んでいる、請求項１０に記載の方法。
【請求項１２】
ライセンスが改ざんされているか否かを明らかにすることができる保全符号を、そのライセンスが含む、請求項１から１１のいずれか一項に記載の方法。
【請求項１３】
提示装置のその機密保護部分が、それらのいずれかの通信路の侵入に相対的に抵抗力がある要素を含んでおり、提示装置キー、コンテンツキー、あるいはデジタルコンテンツが検査され、あるいは改ざんされるのを許容しない、請求項１から１２のいずれか一項に記載の方法。
【請求項１４】
検査又は改ざんに対してロックされているデジタルコンテンツを受信可能な第１部材と、
提示装置キーを有し、その提示装置キーを用いてライセンスを解除可能な保護部分を含む、提示装置と、
ライセンスを受信可能な第２部材であって、そのデジタルコンテンツを解除可能なコンテンツキーを含み、前記コンテンツキーは、その提示装置以外の他の装置による検査又は改ざんに対してロックされている、第２部材と、
を含み、
その結果、そのデジタルコンテンツによって表された情報は、他の提示装置における使用から制限される、装置。
【請求項１５】
コンピュータ装置によって解釈可能な形態でデジタルコンテンツを格納している物理メディアと、
その物理メディア及びそのコンテンツキーと結合された暗号化部と
をさらに含み、
その結果、物理メディアからの読み出しは、そのコンテンツキーとは関係なく、提示装置における使用から制限される、請求項１４に記載の装置。
【請求項１６】
前記デジタルコンテンツは、アニメーションあるいは音、静止メディア、写真あるいはイラスト、データベース、情報の他のコレクション、の少なくとも１つを含んでいるメディアストリームの少なくとも一部を表す、請求項１４又は１５に記載の装置。
【請求項１７】
前記デジタルコンテンツは、それが表す情報の提示以外に、ユーザによる検査が可能な少なくとも何らかの情報を含んでいる、請求項１４から１６のいずれか一項に記載の装置。
【請求項１８】
検査が可能なその情報は、
前記メディアストリームについてのメタデータと、
（ａ）タイトル、（ｂ）フィルムクリップ、（ｃ）概要、（ｄ）メディアストリームの作者、俳優、ジャンル、あるいはレーティングに関連付けられている１組の情報、の少なくとも１つを含む、メディアストリームについての情報と
のうち、少なくとも一つを有している、請求項１７に記載の装置。
【請求項１９】
前記ライセンスは、そのメディアストリームの提示に制限を課す、請求項１４から１８のいずれか一項に記載の装置。
【請求項２０】
前記制限は、
ライセンスが無効になるか否か、
メディアストリームに対して提示が許可される最初の日付あるいは時間、
メディアストリームに対して提示が許可される最後の日付あるいは時間、
メディアストリームに対して許可される提示の制限された数、
メディアストリームに対して提示が許可される制限された物理領域、
メディアストリームに対して提示が許可されることに関連付けられた、料金、コスト、報酬、あるいは予約、
提示装置のタイプ、
提示装置により使用される出力フォーマット、
提示装置により使用されるビットレート、サンプリングレート、あるいは、粒状度もしくは正確さの他の尺度、
の少なくとも１つを含んでいる、請求項１９に記載の装置。
【請求項２１】
前記ライセンスは、そのライセンスが改ざんされているか否かを明らかにすることができる保全符号を含む、請求項１４から２０のいずれか一項に記載の装置。
【請求項２２】
前記提示装置のその機密保護部分が、それらのいずれかの通信路の侵入に相対的に抵抗力がある要素を含んでおり、提示装置キー、コンテンツキー、あるいはデジタルコンテンツが検査され、あるいは改ざんされるのを許容しない、請求項１４から２１のいずれか一項に記載の装置。